(57)【特許請求の範囲】
【請求項１】
撮影した被写体像を画像データに変換し記憶する撮像装置において、
撮影した前記画像データに付加する付加情報を記憶する付加情報記憶手段と、
前記付加情報記憶手段に記憶されている付加情報を前記画像データに付加する付加手段と、
前記付加手段により付加された付加情報が一定期間経過したかどうかを判断する判断手段と、
前記判断手段の結果に基づいて前記付加情報を取り外す取り外し手段と
を具備することを特徴とする撮像装置。
【請求項２】
前記付加手段は、前記画像データの一部のデータと前記付加情報を置換することを特徴とする請求項１に記載の撮像装置。
【請求項３】
前記付加情報に置換された前記一部のデータは、付加情報と関連づけられて記憶されることを特徴とする請求項２に記載の撮像装置。
【請求項４】
撮影した被写体像を画像データとして記録する画像処理方法において、
画像データに付加する付加情報を記憶しておき、
撮影した被写体像を画像データとして記録する際に、前記付加情報を前記画像データに付加し、
付加情報が一定期間経過したかどうかを判断し、  一定期間経過した後、前記画像データから前記付加情報を取り外すことを特徴とする画像処理方法。
【請求項５】
撮影した被写体像を画像データとして記録する画像処理プログラムにおいて、
画像データに付加する付加情報を記憶するステップと、
撮影した被写体像を画像データとして記録する際に、前記付加情報を前記画像データに付加するステップと、
付加情報が一定期間経過したかどうかを判断するステップと、
一定期間経過した後、前記画像データから前記付加情報を取り外すステップと
をコンピュータに実行させることを特徴とする画像処理プログラム。
【発明の詳細な説明】
【０００１】
【発明の属する技術分野】
本発明は、被写体像を画像データとして記録する撮像装置、画像処理方法および画像処理プログラムに関する。
【０００２】
【従来の技術】
企業の広告手段として、企業の記念品や懸賞などで、ユーザにデジタルスチルカメラし、該デジタルスチルカメラで撮影した画像に広告等の付加画像を付加することが考えられる。従来技術でも、撮影した画像に広告等の付加画像を付加することは技術的に可能である。
【０００３】
【発明が解決しようとする課題】
ところで、上述したデジタルスチルカメラにおいて、ユーザが撮影した画像に広告等の付加画像が永久的に付加されていると、付加画像が目障りになり、ユーザに使ってもらえなくなる可能性が高い。そこで、上記デジタルスチルカメラを有効的にユーザに使いつづけてもらい、かつ広告としての効果を十分に期待するには、一定期間のみ表示した後、広告等の付加画像を取り外せることが望ましい。しかしながら、付加画像を簡単に取り外せるようにすると、ユーザがすぐに取り外してしまうため、広告としての効果が期待できないという問題がある。このように、従来技術では、一定期間のみ表示したい、企業広告等の付加画像に十分に対応することができなかったという問題があった。
【０００４】
そこで本発明は、一定期間が経過したあとは、付加画像を容易に取り外すことができ、企業広告としての効果を十分に期待できる撮像装置、画像処理方法および画像処理プログラムを提供することを目的とする。
【０００５】
【課題を解決するための手段】
上記目的達成のため、請求項１記載の発明による撮像装置は、撮影した被写体像を画像データに変換し記憶する撮像装置において、撮影した前記画像データに付加する付加情報を記憶する付加情報記憶手段と、前記付加情報記憶手段に記憶されている付加情報を前記画像データに付加する付加手段と、前記付加手段により付加された付加情報が一定期間経過したかどうかを判断する判断手段と、前記判断手段の結果に基づいて前記付加情報を取り外す取り外し手段とを具備することを特徴とする。
【０００６】
また、好ましい態様として、例えば請求項２記載のように、請求項１に記載の撮像装置において、前記付加手段は前記画像データの一部のデータと前記付加情報を置換するようにしてもよい。
【０００７】
また、好ましい態様として、例えば請求項３記載のように、請求項２に記載の撮像装置において、前記付加情報に置換された前記一部のデータは付加情報と関連づけられて記憶されるようにしてもよい。
【０００８】
また、上記目的達成のため、請求項４記載の発明による画像処理方法は、撮影した被写体像を画像データとして記録する画像処理方法において、画像データに付加する付加情報を記憶しておき、撮影した被写体像を画像データとして記録する際に、前記付加情報を前記画像データに付加し、付加情報が一定期間経過したかどうかを判断し、一定期間経過した後、前記画像データから前記付加情報を取り外すことを特徴とする。
【０００９】
また、上記目的達成のため、請求項５記載の発明による画像処理プログラムは、撮影した被写体像を画像データとして記録する画像処理プログラムにおいて、画像データに付加する付加情報を記憶するステップと、撮影した被写体像を画像データとして記録する際に、前記付加情報を前記画像データに付加するステップと、付加情報が一定期間経過したかどうかを判断するステップと、一定期間経過した後、前記画像データから前記付加情報を取り外すステップとをコンピュータに実行させることを特徴とする。
【００１０】
【発明の実施の形態】
以下、本発明の実施の形態を、デジタルスチルカメラに適用した一実施例として、図面を参照して説明する。
【００１１】
Ａ−１．実施形態の構成
図１は、本発明の実施形態によるデジタルスチルカメラの構成を示すブロック図である。図において、レンズ１は、いわゆる写真レンズであり、被写体を光学的に撮影し、ＣＣＤ２上に結像する。ＣＣＤ２は、電荷をアレイ状に転送するＭＯＳ（metal-oxide semiconductor）構造のデバイスで、タイミング発生器（ＴＧ）３、垂直ドライバ４によって駆動され、一定周期毎に光電変換出力を１画面分出力する。タイミング発生器３および垂直ドライバ４は、ＣＣＤ２の読み出しに必要なタイミング信号を生成する。サンプルホールド回路（Ｓ／Ｈ）５は、ＣＣＤ２から読み出された時系列的なアナログ信号を、ＣＣＤ２の解像度に適合した周波数でサンプリングする。Ａ／Ｄ変換器６は、サンプリングされた信号を図２に示すデジタル信号（ベイヤーデータ）に変換する。
【００１２】
カラープロセス回路７は、Ａ／Ｄ変換器６の出力から輝度・色差マルチプレクス信号（以下、ＹＵＶ信号と言う）を生成するためのカラープロセス処理を行う。カラープロセス処理では、上記ベイヤーデータが図３に示すようなＲ，Ｇ，Ｂデータに変換され、さらに、図４に示すようなデジタルの輝度、色差マルチプレクス信号（Ｙ，Ｃｂ，Ｃｒデータ）に変換される。なお、本実施形態においては、図２に示すように、ＣＣＤ２から出力される１フレームの画素数を１２８０×９６０ピクセルとし、デジタルの輝度、色差マルチプレクス信号の画素数を、図４に示すように、上記Ｙ，Ｃｂ，Ｃｒデータのうち、Ｙデータが１２８０×９６０ピクセルのデータとし、Ｃｂ，Ｃｒデータが縦横２ピクセルを平均した６４０×４８０ピクセルのデータ、つまり４：１：１データとする。
【００１３】
ＤＭＡコントローラ８は、カラープロセス回路７とＤＲＡＭ１０（正確にはＤＲＡＭインターフェース９）との間のデータ転送を、ＣＰＵ１１の介在なしに行うものであり、いわゆるダイレクト・メモリ転送（ＤＭＡ：direct memory access）を行うものである。ＤＭＡコントローラ８は、カラープロセス回路７のＹ，Ｃｂ，Ｃｒデータ出力を、同じくカラープロセス回路７の同期信号、メモリ書き込みイネーブル、クロック出力を用いて、一度、ＤＭＡコントローラ８内部のバッファに書き込み、ＤＲＡＭインターフェース（ＤＲＡＭＩ／Ｆ）９を介してＤＲＡＭ１０にＤＭＡ転送を行う。ＤＲＡＭインターフェース９は、ＤＲＡＭ１０とＤＭＡコントローラ８との間の信号インターフェース、およびＤＲＡＭ１０とバスとの間の信号インターフェースをとるものである。ＤＲＡＭ１０は、ＤＲＡＭインターフェース９を介してＤＭＡコントローラ８からＤＭＡ転送される画像データ（Ｙ，Ｃｂ，Ｃｒデータ）を蓄積する。
【００１４】
ＣＰＵ１１は、プログラムＲＯＭ１９に記録された、所定のプログラムを実行してカメラの動作を集中制御するものであり、メインスイッチ、記録／再生モード切り換えスイッチ、機能選択キー、シャッターキーなどの実施ボタンを含む操作部１６が接続されている。記録モードでは、そのモード用のプログラムが、また、再生モードでは、そのモード用のプログラムがプログラムＲＯＭ１９からＣＰＵ１１の内部のＲＡＭにロードされて実行される。ＣＰＵ１１は、上記画像データ（Ｙ，Ｃｂ，Ｃｒデータ）のＤＲＡＭ１０へのＤＭＡ転送終了後に、該画像データ（Ｙ，Ｃｂ，Ｃｒデータ）を、ＤＲＡＭインターフェース９を介してＤＲＡＭ１０から読み出し、ＶＲＡＭコントローラ１２を介してＶＲＡＭ１３に書き込む。
【００１５】
ＣＰＵ１１は、上記シャッターキーが押下された記録保存の状態では、ＤＲＡＭ１０に書き込まれている１フレーム分のＹ，Ｃｂ，Ｃｒデータを、ＤＲＡＭインターフェース９を介して、Ｙ，Ｃｂ，Ｃｒの各コンポーネント毎にＭＣＵ（Minimum Coded Unit）単位、つまり圧縮伸張の最小単位で、すなわち図５（ａ）に示すように、１フレームを８０×６０ブロック（「０」〜「４７９９」）に分割した、１６×１６ピクセルからなるＭＣＵブロック毎に読み出して、さらに付加する画像のＭＣＵブロックを挿入してＪＰＥＧ処理部１７に送る。該ＪＰＥＧ処理部１７に送られた画像データは、ＤＣＴ変換、量子化、符号化といった処理を経て圧縮される。ＣＰＵ１１は、圧縮後の画像データに、ヘッダ情報を付加して、不揮発性メモリであるフラッシュメモリ１８に書き込む。上記ヘッダ情報には、付加画像を含めた画像のサイズ、元画像のサイズ、元画像の基準点位置、撮像時間のデータ、付加画像とりはずし許可用暗号データなどの情報が含まれる。
【００１６】
上記ＤＣＴ変換では、上記ＭＣＵブロックのデータ、すなわち（以下、単にＭＣＵデータという）は、図５（ｂ）に示すように、「Ｙ０」〜「Ｙ３」の４つの８×８ピクセルのブロックの輝度成分データと、１つずつの８×８ピクセルのブロックの色差成分データ「Ｃｂ」、「Ｃｒ」とを１組として、個々のブロック毎に、周波数成分の大きさを示す各画素と同数の６４個のＤＣＴ係数へ変換される。そして、ＣＰＵ１１は、上記１フレーム分のＹ，Ｃｂ，Ｃｒデータの圧縮処理およびフラッシュメモリ１８への全圧縮データの書き込みが終了すると、再度、ＣＣＤ２からＤＲＡＭ１０への経路を起動する。
【００１７】
ＶＲＡＭコントローラ１２は、ＶＲＡＭ１３とバスとの間、およびＶＲＡＭ１３とデジタルビデオエンコーダ１４との間のデータ転送を制御するものであり、要するに、表示用画像（プレビュー画像）のＶＲＡＭ１３への書き込みと、同画像のＶＲＡＭ１３からの読み出しを制御する部分である。
【００１８】
ＶＲＡＭ１３は、いわゆるビデオＲＡＭであり、プレビュー画像が書き込まれると、そのプレビュー画像がデジタルビデオエンコーダ１４を介して表示装置１５に送られ、表示されるようになっている。なお、ビデオＲＡＭには、書き込み用と読み出し用の２つのポートを備え、画像の書き込みと読み出しを同時並行的に行うことができるものもあるが、本実施形態のＶＲＡＭ１３にも、このタイプのビデオＲＡＭを用いても構わない。
【００１９】
デジタルビデオエンコーダ（以下、単にビデオエンコーダという）１４は、上記画像データ（Ｙ，Ｃｂ，Ｃｒデータ）を、ＶＲＡＭコントローラ１２を介してＶＲＡＭ１３から周期的に読み出して、該画像データを元にビデオ信号を発生して表示装置１５に出力する。これにより、記録モードの状態における表示装置１５には、現在、ＣＣＤ２から取り込まれている画像情報に基づくスルー画像が表示される。表示装置１５は、例えば２７９×２２０の画素数からなる、カメラ本体の裏側に取り付けられた数インチ程度の小型の液晶パネルである。
【００２０】
ＪＰＥＧ処理部１７は、ＪＰＥＧの圧縮と伸長を行う部分である。ＪＰＥＧの圧縮パラメータは圧縮処理の都度、ＣＰＵ１１から与えられる。なお、ＪＰＥＧ処理部１７は、処理速度の点で専用のハードウェアにより実現することが好ましいが、ＣＰＵ１１でソフト的に行うことも可能である。
【００２１】
フラッシュメモリ１８は、書き換え可能な読み出し専用メモリ（ＰＲＯＭ：programmable read only memory）のうち、電気的に全ビット（又はブロック単位）の内容を消して内容を書き直せるものを指す。フラッシュメモリ１８は、カメラ本体から取り外せない固定型であってもよいし、カード型やパッケージ型のように取り外し可能なものであってもよい。なお、フラッシュメモリ１８は、内蔵型であれ取り外し可能型であれ、所定の形式で初期化（フォーマット）されている必要がある。初期化済みのフラッシュメモリ１８には、その記憶容量に応じた枚数の画像を記録できる。プログラムＲＯＭ１９には、ＣＰＵ１１により実行される所定のプログラムに加えて、データ領域に付加画像データが記録されている。なお、付加画像は、１種類だけでなく、複数個持って撮像画像毎に切り換えて使用できるようにしてもよい。
【００２２】
図６は、ＪＰＥＧ画像フォーマットにおける各種データの格納状態を示す概念図である。ＪＰＥＧ画像フォーマットには、前述したように、元画像のサイズ、元画像基準点位置、撮像時間データ、付加画像取り外し暗号データ、付加画像名（置換した部分の元画像との関連付け情報）などが含まれている。
【００２３】
次に、図７は、付加画像のフォーマットを示す概念図である。付加画像フォーマットには、付加画像の付加位置、暗号情報、画素情報、付加画像名などが含まれている。ここで、図８および図９は、付加画像を置いたときの画像サイズと基準点位置とを示す概念図である。図８（ａ）は、１２８０×９６０の元画像である。図８（ｂ）は、元画像の上に付加画像を付加した例、図８（ｃ）は、元画像の左に付加画像を付加した例である。同様に、図９（ａ）は、元画像の上部分を付加画像に置換することにより付加した例であり、図９（ｂ）は、元画像の左部分を付加画像に置換することにより付加した例である。置換した部分の元画像は、メモリに記憶されており、付加画像を取り外したときに読み出されて元画像に戻されるようになっている。
【００２４】
Ａ−２．実施形態の動作
次に、上述した実施形態によるデジタルスチルカメラの動作について説明する。図１０は、撮像した画像がＭＣＵブロックまで変換されてからの処理を説明するためのフローチャートである。撮像したＭＣＵブロックデータに付加画像のＭＣＵを追加する（図８（ｂ）、（ｃ）に示した例のようになる。）。このため、ＭＣＵブロック数は増え、付加画像の分が挿入されるため（左側、および右側に追加した場合）、ＭＣＵブロックの並びも変更される（ステップＳ１０）。
【００２５】
次いで、ＭＣＵブロックは、ＤＣＴ変換される（ステップＳ１２）。ＤＣＴ変換では、ＭＣＵブロックのデータは、図５（ｂ）に示すように、「Ｙ０」〜「Ｙ３」の４個の８×８ピクセルのブロックの輝度成分データと、１個ずつの８×８ピクセルのブロックの色差成分データ「Ｃｂ」、「Ｃｒ」とを１組として個々のブロック毎に、周波数成分の大きさを示す各画素と同数の６４個のＤＣＴ係数へ変換される。ＤＣＴ変換されたＭＣＵブロックは、圧縮率に対応した量子化データにより量子化処理が行なわれる（ステップＳ１４）。さらに、符号化処理により、圧縮される（ステップＳ１６）。
【００２６】
次に、ＪＰＥＧヘッダ情報が設定される（ステップＳ１８）。ＪＰＥＧヘッダ情報の設定では、図６に示すように、画像サイズ情報の他に元画像サイズ、元画像基準点位置、撮像時間データ、付加画像取り外し暗号データ等が設定される。ＪＰＥＧヘッダ情報に元画像に関する情報があるため、本実施形態の撮像画像データがパソコンに送られ、プリンタで印刷しようとしたとき、プリンタドライバソフトウェアが対応していれば、印刷するときのみ付加画像を取り外して印字することも可能となる。生成されたＪＰＥＧ画像データは、フラッシュメモリ１８に書き込まれ、保存される（ステップＳ２０）。
【００２７】
図１１および図１２は、撮像画像から付加画像データを取り外すときの処理を説明するためのフローチャートである。該フローチャートは、再生モードのとき、ＣＰＵ１１に接続された機能選択キーの操作により行われる。
【００２８】
まず、一定期間が経過してから付加画像の広告画像データの供給元によってパスワードがアナウンスされる。ユーザは、デジタルスチルカメラにパスワードを入力する（ステップＳ３０）。ＣＰＵ１１は、パスワードとＪＰＥＧヘッダにセットされた暗号データとを照合し（ステップＳ３２）、照合結果を判定する（ステップＳ３４）。そして、照合結果がＯＫ（一致）であれば、日付データをチェックする（ステップＳ３６）。
【００２９】
そして、パスワードと暗号データとの照合が不可であるか、日付が不可であった場合には、メッセージ「取り外しに失敗しました」を表示し（ステップＳ３８）、当該処理を終了する。単に、日付チェックだけでなく、パスワードの入力をユーザに要求するのは、日付チェックだけの判定では、ユーザがデジタルスチルカメラの内蔵時計の設定を書き換えてしまえば、一定期間を経過したと判定できてしまうためである。
【００３０】
一方、日付データがＯＫであれば、すなわち一定期間が経過している場合には、ＪＰＥＧヘッダ解析を行い（ステップＳ４０）、各種情報を以降の処理のため、取り込んでおく。符号データの復号化（ステップＳ４２）、逆量子化処理（ステップＳ４４）、逆ＤＣＴ変換（ステップＳ４６）を経てＭＣＵブロックが得られる。ここで、ステップＳ４０において、取り込まれた付加画像を含めたサイズ情報、元画像のサイズ、元画像基準点位置の情報により、ＭＣＵブロックから付加画像のＭＣＵブロックを取り外す（ステップＳ４８）。
【００３１】
付加画像が取り外されたＭＣＵブロックは、ＤＣＴ変換（ステップＳ５０）、量子化処理（ステップＳ５２）、符号化処理（ステップＳ５４）を経て、ＪＰＥＧヘッダの加工により、ＪＰＥＧヘッダのサイズを書き換え、元画像のサイズ、元画像基準点位置を削除し（ステップＳ５６）、フラッシュメモリに書き込まれる（ステップＳ５８）。次いで、メッセージ「取り外しに成功しました」と表示し（ステップＳ６０）、処理を終了する。このように、本実施形態によれば、一連の処理により元画像データを劣化させることなく、付加画像データが元画像データから取り外される。
【００３２】
Ａ−３．その他の実施形態の動作
次に、撮像したデータの一部を付加画像に置換して場合の実施形態によるデジタルスチルカメラの動作について説明する。図１３は、撮像した画像がＭＣＵブロックまで変換されてからの処理を説明するためのフローチャートである。既に説明した図１０と同じ動作のところは同じ番号で示す。
【００３３】
撮像したＭＣＵブロックデータの一部を付加画像のＭＣＵと置換する（図９（ａ）、（ｂ）に示した例のようになる。）。置換された元画像の部分は図７に示した付加画像名が付加され（関連づけられ）フラッシュメモリ１８に記憶される（ステップＳ１０１）。置換されるので、ＭＣＵブロック数は変わらない。次いで、ＭＣＵブロックは、ＤＣＴ変換される（ステップＳ１２）。ＤＣＴ変換では、ＭＣＵブロックのデータは、図５（ｂ）に示すように、「Ｙ０」〜「Ｙ３」の４個の８×８ピクセルのブロックの輝度成分データと、１個ずつの８×８ピクセルのブロックの色差成分データ「Ｃｂ」、「Ｃｒ」とを１組として個々のブロック毎に、周波数成分の大きさを示す各画素と同数の６４個のＤＣＴ係数へ変換される。ＤＣＴ変換されたＭＣＵブロックは、圧縮率に対応した量子化データにより量子化処理が行なわれる（ステップＳ１４）。さらに、符号化処理により、圧縮される（ステップＳ１６）。
【００３４】
次に、ＪＰＥＧヘッダ情報が設定される（ステップＳ１８１）。ＪＰＥＧヘッダ情報の設定では、図６に示すように、画像サイズ情報の他に元画像サイズ、元画像基準点位置、撮像時間データ、付加画像取り外し暗号データ等が設定される。ここで必ず置換した付加画像の付加画像名は設定される。生成されたＪＰＥＧ画像データは、フラッシュメモリ１８に書き込まれ、保存される（ステップＳ２０）。
【００３５】
図１４および図１５は、撮像画像から付加画像データを取り外すときの処理を説明するためのフローチャートである。該フローチャートは、再生モードのとき、ＣＰＵ１１に接続された機能選択キーの操作により行われる。既に説明した図１１および図１２と同じ動作のところは同じ番号で示す。
【００３６】
まず、一定期間が経過してから付加画像の広告画像データの供給元によってパスワードがアナウンスされる。ユーザは、デジタルスチルカメラにパスワードを入力する（ステップＳ３０）。ＣＰＵ１１は、パスワードとＪＰＥＧヘッダにセットされた暗号データとを照合し（ステップＳ３２）、照合結果を判定する（ステップＳ３４）。そして、照合結果がＯＫ（一致）であれば、日付データをチェックする（ステップＳ３６）。
【００３７】
そして、パスワードと暗号データとの照合が不可であるか、日付が不可であった場合には、メッセージ「取り外しに失敗しました」を表示し（ステップＳ３８）、当該処理を終了する。単に、日付チェックだけでなく、パスワードの入力をユーザに要求するのは、日付チェックだけの判定では、ユーザがデジタルスチルカメラの内蔵時計の設定を書き換えてしまえば、一定期間を経過したと判定できてしまうためである。
【００３８】
一方、日付データがＯＫであれば、すなわち一定期間が経過している場合には、ＪＰＥＧヘッダ解析を行い、各種情報を取り込む。付加画像名が付加されている置換された部分の元画像をフラッシュメモリ１８から読み出しておく（ステップＳ４０１）。符号データの復号化（ステップＳ４２）、逆量子化処理（ステップＳ４４）、逆ＤＣＴ変換（ステップＳ４６）を経てＭＣＵブロックが得られる。ここで、ステップＳ４０１において、取り込まれた元画像のサイズ、元画像基準点位置の情報、読み出しておいた元画像の一部により、ＭＣＵブロックから付加画像のＭＣＵブロックを取り外し、元画像の一部と置換する。（ステップＳ４８１）。
【００３９】
付加画像が元画像に置換されたＭＣＵブロックは、ＤＣＴ変換（ステップＳ５０）、量子化処理（ステップＳ５２）、符号化処理（ステップＳ５４）を経て、ＪＰＥＧヘッダの加工により、ＪＰＥＧヘッダのサイズを書き換え、元画像のサイズ、元画像基準点位置を削除し（ステップＳ５６）、フラッシュメモリに書き込まれる（ステップＳ５８）。次いで、メッセージ「取り外しに成功しました」と表示し（ステップＳ６０）、処理を終了する。このように、本実施形態によれば、元画像の一部分を付加画像に置換することにより付加したので、置換した部分を元画像データに戻すので、一連の処理により元画像データを劣化させることなく、付加画像データが元画像データから取り外される。
【００４０】
Ｂ．変形例
デジタルスチルカメラの内蔵時計データと、撮像画像データに記録されている撮像時間と比較するだけで、一定期間を経過していれば、付加画像の取り外しを可能としてもよい。
【００４１】
また、上述した実施形態では、付加画像の取り外しを、デジタルスチルカメラ本体で実施していたが、撮像画像を移動し、保存したパーソナルコンピュータ上のソフトウェアで実施するようにしてもよい。この場合、プリンタ等の外部装置へ出力するとき、ドライバソフトウェアが対応すれば、外部装置に出力した場合のみ、一定期間経過していなくても付加画像を取り外すことも可能である。
【００４２】
上述した実施形態によれば、一定期間が経過したあとは、付加画像を取り外すことが可能であり、広告等の付加画像を劣化することなく、取り外すことができる。したがって、企業の記念品や懸賞商品として、撮影した画像に企業広告等の付加画像を付加するデジタルスチルカメラを提供することができる。
【００４３】
【発明の効果】
請求項１記載の発明によれば、撮影した画像データに付加する付加情報を付加情報記憶手段に記憶しておき、付加手段により、前記付加情報を画像データに付加し、判断手段により、付加された付加情報が一定期間経過したかどうかを判断し、該判断結果に基づいて、取り外し手段により、一定期間経過した後、前記画像データから前記付加情報を取り外すようにしたので、一定期間が経過したあとは、付加画像を容易に取り外すことができ、企業広告としての効果を十分に期待できるという利点が得られる。
【００４４】
また、請求項２記載の発明によれば、前記付加手段により、前記画像データの一部のデータと前記付加情報を置換するようにしたので、一定期間が経過したあとは、付加画像を容易に取り外すことができ、企業広告としての効果を十分に期待できるという利点が得られる。
【００４５】
また、請求項３記載の発明によれば、前記付加情報に置換された前記一部のデータを、付加情報と関連づけられて記憶されるようにしたので、一定期間が経過したあとは、付加画像を容易に取り外すことができ、企業広告としての効果を十分に期待できるという利点が得られる。
【００４６】
また、請求項４記載の発明によれば、画像データに付加する付加情報を記憶しておき、撮影した被写体像を画像データとして記録する際に、前記付加情報を前記画像データに付加し、付加情報が一定期間経過したかどうかを判断し、一定期間経過した後、前記画像データから前記付加情報を取り外すようにしたので、一定期間が経過したあとは、付加画像を容易に取り外すことができ、企業広告としての効果を十分に期待できるという利点が得られる。
【００４７】
また、請求項５記載の発明によれば、画像データに付加する付加情報を記憶するステップと、撮影した被写体像を画像データとして記録する際に、前記付加情報を前記画像データに付加するステップと、付加情報が一定期間経過したかどうかを判断するステップと、一定期間経過した後、前記画像データから前記付加情報を取り外すステップとをコンピュータに実行させるようにしたので、より確実に、一定期間が経過したあとに付加画像を容易に取り外すことができ、企業広告としての効果を十分に期待できるという利点が得られる。
【図面の簡単な説明】
【図１】本発明の実施形態によるデジタルスチルカメラの構成を示すブロック図である。
【図２】ＣＣＤから出力される１フレームを説明するための概念図である。
【図３】カラープロセス処理を説明するための概念図である。
【図４】カラープロセス処理を説明するための概念図である。
【図５】ＪＰＥＧ処理の前処理およびＤＣＴ変換を説明するための概念図である。
【図６】ＪＰＥＧ画像フォーマットにおける各種データの格納状態を示す概念図である。
【図７】付加画像のフォーマットを示す概念図である。
【図８】付加画像を置いたときの画像サイズと基準点位置とを示す概念図である。
【図９】付加画像を置いたときの画像サイズと基準点位置とを示す概念図である。
【図１０】撮像した画像がＭＣＵ（Minimum Coded Unit）ブロックまで変換されてからの処理を説明するためのフローチャートである。
【図１１】撮像画像から付加画像データを取り外すときの処理を説明するためのフローチャートである。
【図１２】撮像画像から付加画像データを取り外すときの処理を説明するためのフローチャートである。
【図１３】その他の実施形態の動作において、撮像した画像がＭＣＵブロックまで変換されてからの処理を説明するためのフローチャートである。
【図１４】その他の実施形態の動作において、撮像画像から付加画像データを取り外すときの処理を説明するためのフローチャートである。
【図１５】その他の実施形態の動作において、撮像画像から付加画像データを取り外すときの処理を説明するためのフローチャートである。
【符号の説明】
１  レンズ
２  ＣＣＤ
３  タイミング発生器
４  垂直ドライバ
５  サンプルホールド回路
６  Ａ／Ｄ変換器
７  カラープロセス回路
８  ＤＭＡコントローラ
９  ＤＲＡＭインターフェース
１０  ＤＲＡＭ
１１  ＣＰＵ（付加手段、取り外し手段、判断手段）
１２  ＶＲＡＭコントローラ
１３  ＶＲＡＭ
１４  デジタルビデオエンコーダ
１５  表示装置
１６  操作部
１７  ＪＰＥＧ処理部
１８  フラッシュメモリ
１９  プログラムＲＯＭ（付加情報記憶手段）
【図１】
0003807488.tif 000002
【図２】
0003807488.tif 000003
【図３】
0003807488.tif 000004
【図４】
0003807488.tif 000005
【図５】
0003807488.tif 000006
【図６】
0003807488.tif 000007
【図７】
0003807488.tif 000008
【図８】
0003807488.tif 000009
【図９】
0003807488.tif 000010
【図１０】
0003807488.tif 000011
【図１１】
0003807488.tif 000012
【図１２】
0003807488.tif 000013
【図１３】
0003807488.tif 000014
【図１４】
0003807488.tif 000015
【図１５】
0003807488.tif 000016